(57)【要約】      （修正有）【課題】外出先から帰った際、服・帽子・靴。又は毛布に付着した臭・菌・花粉・黄砂・湿気を一度に処理する装置を提供する。【解決手段】毛布４に風圧を加えた際に毛布４が片寄らないように毛布掛け棒１５を設け、エアー吹き出し口９を対角線上に設ける。又、毛布４に斑無く温風・紫外線１２・オゾン１３が当たるようにする。温風・紫外線１２が斑無く当たるように、エアー管８を左右に移動させる。そのために、移動シャフト１４とモーター１１を設ける。吹き付けた風をろ過するフィルター５を通気管１０の始めに設ける。通気管１０からエアー管８に風を送る為に送風機６を設け、風を温めるヒーター７を通気管１０の途中に設けた。【選択図】図１
0003145912.tif 000002
【実用新案登録請求の範囲】
【請求項１】
毛布４に斑無く温風を吹き付ける為に、左右に移動するエアー管８を設けた装置
【請求項２】
エアー管８からの温風吹き出しをエアー管８の縦にスリット状の開口を設けたエアー吹き出し口９を設けた装置
【請求項３】
風で吹き飛ばされた黄砂・花粉・菌を確実にキャッチする為に左右にフィルター５を設けた装置
【請求項４】
毛布４に吹き付けた風が吹き溜まり無くする為に底板１６を湾曲にした装置
【請求項５】
湿気をとる為に通気管１０の途中にヒーター７を設けた装置
【請求項６】
毛布４の奥まで紫外線が届くようにエアー管８と同じように動く紫外線１２を設けた装置
【請求項７】
風で吹き飛ばされた空気中の菌を殺菌するオゾン１３を設けた装置
【考案の詳細な説明】
【技術分野】
【０００１】  本考案は、衣類・毛布類に付着した臭・菌・花粉・黄砂・湿気を除去する装置に関すものである。
【背景技術】
【０００２】  出願番号２００１−１９９０５７のように洋服ダンスに風を送り込み湿気を無くすことをする。又、タンスの中に脱臭剤を置いて脱臭している。
出願番号平９−１５１５９３のように防虫剤やドライクリーニングの溶剤の微粒子から発生するガスを脱臭する装置は考案されている。又、ＩＣ工場など埃をきらう工場では大型の無塵室の中に入り埃を除去し、パチンコ店の中にも脱臭用の室は設けてある。【０００３】  現状の脱臭は、タンスの中に入れる脱臭剤で脱臭するか、菌・花粉・黄砂は服を叩いて落とすか、ドライヤーで吹き飛ばしていた。又、大掛かりな装置による脱臭・除菌はある。
【考案の開示】
【考案が解決しようとする課題】
【０００４】  しかしながら、このような方法では一般の家庭では衣類の臭・菌・花粉・黄砂・湿気の除去を一度に行うことはむずかしい。【０００５】  本考案は外出先から帰った際、服・帽子・靴。又は毛布に付着した臭・菌・花粉・黄砂・湿気を一度に処理する装置を提供することにある。
【課題を解決するための手段】
【０００６】  上記の目的を達成する本考案の構成を説明すると、考案図１の毛布４に風圧を加えた際に毛布４が片寄らないように毛布掛け棒１５を設け、エアー吹き出し口９を対角線上に設ける。又、毛布４に斑無く温風・紫外線１２・オゾン１３が当たるようにする。温風・紫外線１２が斑無く当たるように、エアー管８を左右に移動させる。そのために、移動シャフト１４とモーター１１を設ける。吹き付けた風をろ過するフィルター５を通気管１０の始めに設ける。通気管１０からエアー管８に風を送る為に送風機６を設け、風を温めるヒーター７を通気管１０の途中に設けた装置。
【考案の効果】
【０００７】  エアー管８を移動する事でエアー吹き出し口９からの温風を毛布４に斑無く吹き付ける事ができる。【０００８】  エアー管８を対角線上に置くことで、毛布４が片寄ったりあばれたりする事なく、エアー吹き出し口９からの温風を吹き付ける事ができる。【０００９】  底板１６を傾斜させる事で、フィルター５への風の流れを良くして風の吹き溜まりが無くなる。【００１０】  吹き飛ばした温風に含まれる臭・菌・花粉・黄砂を２箇所のフィルター５でキャッチする事ができる。【００１１】  吹き付けた温風に含まれる臭・菌・花粉をオゾン１３・紫外線１２で殺菌消毒を行う事ができる。【００１２】  温風を毛布４に吹き付ける事で毛布４の毛の奥まで温風が届き、奥の臭・菌・埃を吹き出す事ができる。同時に紫外線で毛布の毛の奥まで殺菌する事ができる。【００１３】  この装置で毛布４だけでなく、洋服・バック・毛皮も同じ効果がでる。【００１４】  扉２を広くすることで毛布４の掛け降ろしがしやすくなる。
【考案を実施するための最良の形態】
【００１５】  この装置は家庭内の洋服ダンス程度の大きさにし、手前側に扉を設ける。又、上部にスイッチ類を設ける。内部に送風機６を使い、温風をエアー管８に送りエアー吹き出し口９から温風を吹き出す事ができる。温風を毛布４全面に吹き付ける為の移動用の移動用シャフト１４と、それを回転させるモーター１１を設ける。吹き付けた温風で毛布４に付着した臭・菌・花粉・黄砂・湿気を効率よく斑無く吹き飛ばす。又、オゾン１３で殺菌消毒を行い紫外線１２で殺菌・防カビを行う。【００１６】  吹き飛ばした花粉・黄砂類を、２ヶ所のフィルター５でキャッチする。綺麗になった風をエアー管８に送る送風機６と風が通る通気管１０を設ける。又、湿気を取る為に温風を送る為のヒーター７を通気管１０の途中に設ける。又、底板１６は、吹き溜まりがないように湾曲に傾斜をつけて風の流れを良くする。
【産業上の利用可能性】
【００１７】  以上説明したように、毛布をベランダに干すことが出来ない所や、梅雨時、黄砂・花粉が降る時期に毛布を外に干すことが出来ないなどの場合に、部屋の中で手軽に毛布を干す事ができる。又、外出先から帰った服類の花粉・雑菌を取り除き、部屋を埃や菌の無い清潔な状態にでき、病気・異臭から体を守ることができる。
【図面の簡単な説明】
【００１８】
【図１】  正面図・正面断面図
【図２】  側面断面図・エアー管図
【符号の説明】
【００１９】      １      本体                      １１      モーター
２      扉                        １２      紫外線
３      スイッチ                  １３      オゾン
４      毛布                      １４      移動シャフト
５      フィルター                １５      毛布掛け棒
６      送風機                    １６      底板
７      ヒーター
８      エアー管
９      エアー吹き出し口
１０      通気管
【図１】
0003145912.tif 000003
【図２】
0003145912.tif 000004
【手続補正書】
【提出日】平成20年7月22日(2008.7.22)
【手続補正１】
【補正対象書類名】実用新案登録請求の範囲
【補正対象項目名】請求項２
【補正方法】変更
【補正の内容】
【請求項２】
エアー管８からの温風吹き出しを、エアー管８の縦にスリット状の開口を設けたエアー吹き出し口９を設けた請求項１記載の装置。
【手続補正２】
【補正対象書類名】実用新案登録請求の範囲
【補正対象項目名】請求項３
【補正方法】変更
【補正の内容】
【請求項３】
エアー管８から吹き付けられた温風で、吹き飛ばされた黄砂・花粉・菌を確実にキャッチする為に底板１６の左右にフィルター５を設けた請求項１記載の装置。
【手続補正３】
【補正対象書類名】実用新案登録請求の範囲
【補正対象項目名】請求項４
【補正方法】変更
【補正の内容】
【請求項４】
毛布４に吹き付けた温風が、吹き溜まり無いように底板１６を湾曲にした請求項１記載の装置。
【手続補正４】
【補正対象書類名】実用新案登録請求の範囲
【補正対象項目名】請求項５
【補正方法】変更
【補正の内容】
【請求項５】
毛布４に付いた湿気を取る為、エアー吹き出し口９に温風を送る通気管１０の途中にヒーター７を設けた請求項１記載の装置。
【手続補正５】
【補正対象書類名】実用新案登録請求の範囲
【補正対象項目名】請求項６
【補正方法】変更
【補正の内容】
【請求項６】
毛布４の奥まで紫外線が届くように、エアー管８と同じように動く紫外線１２を設けた請求項１記載の装置。
【手続補正６】
【補正対象書類名】実用新案登録請求の範囲
【補正対象項目名】請求項７
【補正方法】変更
【補正の内容】
【請求項７】
エアー管８から吹き付けられた温風で吹き飛ばされた空気中の菌を殺菌するオゾン１３を設けた請求項１記載の装置。